(57)【要約】【課題】検査リストにおいて、撮影プロトコルを確認する際の操作工程数の削減及び作業の効率化を図る。【解決手段】撮影制御装置は、検査毎に、撮影対象の患者及び撮影プロトコルの組み合わせを含む検査リスト画面３３１を表示する。撮影制御装置は、検査リスト画面３３１に含まれる患者及び未撮影の撮影プロトコルの組み合わせのそれぞれに対して、当該組み合わせと同一の患者及び撮影プロトコルの組み合わせに対応付けられた医用画像（過去画像）を画像管理装置から取得し、検査リスト上に、取得された医用画像を表示させる。【選択図】図３
2018102453.tif 000002
【特許請求の範囲】
【請求項１】
撮影対象の患者及び未撮影の撮影プロトコルの組み合わせを含む検査リストを表示する表示部を備え、医用画像と当該医用画像の撮影対象とされた患者及び当該医用画像に対する撮影プロトコルの組み合わせとが対応付けられて記憶されている記憶部から情報を取得可能な医用情報表示装置であって、
前記検査リストに含まれる患者及び未撮影の撮影プロトコルの組み合わせのそれぞれに対して、当該組み合わせと同一の患者及び撮影プロトコルの組み合わせに対応付けられた医用画像を前記記憶部から取得する取得部と、
前記検査リスト上に、前記取得された医用画像を表示させる表示制御部と、
を備える医用情報表示装置。
【請求項２】
前記検査リスト上に表示されている医用画像のいずれかを選択するための操作部を備え、
前記表示制御部は、前記選択された医用画像を拡大して前記表示部に表示させる請求項１に記載の医用情報表示装置。
【請求項３】
前記表示制御部は、前記選択された医用画像に対する撮影プロトコルの内容を前記表示部に表示させる請求項２に記載の医用情報表示装置。
【請求項４】
前記表示制御部は、前記検査リスト上に、未撮影であることを示すアイコンを表示させる請求項１から３のいずれか一項に記載の医用情報表示装置。
【請求項５】
前記表示制御部は、前記検査リスト上の各患者の各撮影プロトコルに対応する領域に、当該患者及び撮影プロトコルの組み合わせと同一の患者及び撮影プロトコルの組み合わせに対応付けられた医用画像を表示させる請求項１から４のいずれか一項に記載の医用情報表示装置。
【請求項６】
撮影対象の患者及び未撮影の撮影プロトコルの組み合わせを含む検査リストを表示する表示部を備え、医用画像と当該医用画像の撮影対象とされた患者及び当該医用画像に対する撮影プロトコルの組み合わせとが対応付けられて記憶されている記憶部から情報を取得可能な医用情報表示装置における医用情報表示方法であって、
前記検査リストに含まれる患者及び未撮影の撮影プロトコルの組み合わせのそれぞれに対して、当該組み合わせと同一の患者及び撮影プロトコルの組み合わせに対応付けられた医用画像を前記記憶部から取得する工程と、
前記検査リスト上に、前記取得された医用画像を表示させる工程と、
を含む医用情報表示方法。
【請求項７】
撮影対象の患者及び未撮影の撮影プロトコルの組み合わせを含む検査リストを表示する表示部を備え、医用画像と当該医用画像の撮影対象とされた患者及び当該医用画像に対する撮影プロトコルの組み合わせとが対応付けられて記憶されている記憶部から情報を取得可能な医用情報表示装置を制御するコンピューターに、
前記検査リストに含まれる患者及び未撮影の撮影プロトコルの組み合わせのそれぞれに対して、当該組み合わせと同一の患者及び撮影プロトコルの組み合わせに対応付けられた医用画像を前記記憶部から取得する機能と、
前記検査リスト上に、前記取得された医用画像を表示させる機能と、
を実現させるためのプログラムを記録したコンピューター読み取り可能な記録媒体。
【発明の詳細な説明】
【技術分野】
【０００１】
本発明は、医用情報表示装置、医用情報表示方法及び記録媒体に関する。
【背景技術】
【０００２】
近年、医療分野においても情報の電子化が進み、カルテ情報や検査画像等の医用情報が電子データとして管理されている。医療施設では、モダリティーを制御する撮影制御装置の表示画面上に撮影対象となる患者を含む検査リストを表示し、各検査に含まれる撮影プロトコル毎に患者を撮影している。
【０００３】
医療施設では、撮影業務を効率良く行うため、患者を撮影室に呼び入れる前に、検査技師が検査の撮影内容を確認し、検査の順番・撮影順番・撮影方法を決定し、撮影装置の準備を行う。これらの過程で、検査技師は、これから撮影する画像の撮影プロトコルを確認する必要がある。
【０００４】
また、経過観察では、患者の容体によって、同じ撮影プロトコルでも通常と異なる撮影方法で撮影することもある。例えば、「胸部正面」という撮影プロトコルがあった場合、通常、立位装置を使って撮影するが、臥位装置を用いることもある。また、次回の撮影者や後工程者に撮影方法を伝えるために、画像上にマーカーやアノテーションを付加し、当時の撮影方法を記録していることも多い。そのため、撮影者にとっては、文章で残した記録より、過去に撮影された医用画像（過去画像）を見た方が撮影方法のイメージがわきやすい場合もある。
【０００５】
また、経過観察では、現在画像（今回撮影される医用画像）と過去画像とを比較するため、過去と全く同じ撮影条件で撮影することが望ましい。そこで、電子カルテやビューアー画面で過去の検査から同一の撮影条件の画像を検索し、過去画像を確認する方法がとられていた。さらに、過去画像の検索作業の手間を省くために、撮影プロトコルに合わせて、対象患者を同一の撮影プロトコルで撮影した過去画像を取得して表示する技術が利用されている。例えば、撮影実施前に、操作者が撮影手技情報を選択すると、撮影手技情報に基づく検索条件によって過去画像を検索し、検索条件に合致する過去画像をサムネイル表示する医用画像撮影装置が提案されている（特許文献１参照）。
【先行技術文献】
【特許文献】
【０００６】
【特許文献１】特開２０１４−０９０７４３号公報
【発明の概要】
【発明が解決しようとする課題】
【０００７】
しかしながら、撮影対象となる患者や検査の順番の調整、撮影順番の決定、撮影装置の事前準備等のために、撮影制御装置において、撮影プロトコルや過去画像を確認するには、検査リストから検査を選択し、撮影画面に遷移する必要があった。さらに、撮影プロトコルを一つ一つ選択し、選択された撮影プロトコル毎に過去画像を確認するため、手間がかかっていた。検査リスト上に、撮影プロトコルの一部（撮影部位、撮影方向等）が文字で表示される場合もあったが、情報としては不十分であった。
【０００８】
本発明は、上記の従来技術における問題に鑑みてなされたものであって、検査リストにおいて、撮影プロトコルを確認する際の操作工程数の削減及び作業の効率化を図ることを課題とする。
【課題を解決するための手段】
【０００９】
上記課題を解決するために、請求項１に記載の発明は、撮影対象の患者及び未撮影の撮影プロトコルの組み合わせを含む検査リストを表示する表示部を備え、医用画像と当該医用画像の撮影対象とされた患者及び当該医用画像に対する撮影プロトコルの組み合わせとが対応付けられて記憶されている記憶部から情報を取得可能な医用情報表示装置であって、前記検査リストに含まれる患者及び未撮影の撮影プロトコルの組み合わせのそれぞれに対して、当該組み合わせと同一の患者及び撮影プロトコルの組み合わせに対応付けられた医用画像を前記記憶部から取得する取得部と、前記検査リスト上に、前記取得された医用画像を表示させる表示制御部と、を備える。
【００１０】
請求項２に記載の発明は、請求項１に記載の医用情報表示装置において、前記検査リスト上に表示されている医用画像のいずれかを選択するための操作部を備え、前記表示制御部は、前記選択された医用画像を拡大して前記表示部に表示させる。
【００１１】
請求項３に記載の発明は、請求項２に記載の医用情報表示装置において、前記表示制御部は、前記選択された医用画像に対する撮影プロトコルの内容を前記表示部に表示させる。
【００１２】
請求項４に記載の発明は、請求項１から３のいずれか一項に記載の医用情報表示装置において、前記表示制御部は、前記検査リスト上に、未撮影であることを示すアイコンを表示させる。
【００１３】
請求項５に記載の発明は、請求項１から４のいずれか一項に記載の医用情報表示装置において、前記表示制御部は、前記検査リスト上の各患者の各撮影プロトコルに対応する領域に、当該患者及び撮影プロトコルの組み合わせと同一の患者及び撮影プロトコルの組み合わせに対応付けられた医用画像を表示させる。
【００１４】
請求項６に記載の発明は、撮影対象の患者及び未撮影の撮影プロトコルの組み合わせを含む検査リストを表示する表示部を備え、医用画像と当該医用画像の撮影対象とされた患者及び当該医用画像に対する撮影プロトコルの組み合わせとが対応付けられて記憶されている記憶部から情報を取得可能な医用情報表示装置における医用情報表示方法であって、前記検査リストに含まれる患者及び未撮影の撮影プロトコルの組み合わせのそれぞれに対して、当該組み合わせと同一の患者及び撮影プロトコルの組み合わせに対応付けられた医用画像を前記記憶部から取得する工程と、前記検査リスト上に、前記取得された医用画像を表示させる工程と、を含む。
【００１５】
請求項７に記載の発明は、撮影対象の患者及び未撮影の撮影プロトコルの組み合わせを含む検査リストを表示する表示部を備え、医用画像と当該医用画像の撮影対象とされた患者及び当該医用画像に対する撮影プロトコルの組み合わせとが対応付けられて記憶されている記憶部から情報を取得可能な医用情報表示装置を制御するコンピューターに、前記検査リストに含まれる患者及び未撮影の撮影プロトコルの組み合わせのそれぞれに対して、当該組み合わせと同一の患者及び撮影プロトコルの組み合わせに対応付けられた医用画像を前記記憶部から取得する機能と、前記検査リスト上に、前記取得された医用画像を表示させる機能と、を実現させるためのプログラムを記録したコンピューター読み取り可能な記録媒体である。
【発明の効果】
【００１６】
本発明によれば、検査リストにおいて、撮影プロトコルを確認する際の操作工程数の削減及び作業の効率化を図ることができる。
【図面の簡単な説明】
【００１７】
【図１】本発明の実施の形態における医用情報管理システムの構成を示す図である。
【図２】撮影制御装置により実行される検査リスト表示処理を示すフローチャートである。
【図３】検査リスト画面の例を示す図である。
【図４】検査リスト画面において過去画像が拡大表示されている例を示す図である。
【発明を実施するための形態】
【００１８】
以下、本発明の一実施の形態について説明する。なお、本発明は、図示例に限定されるものではない。
【００１９】
図１に、医用情報管理システム１００の構成を示す。
図１に示すように、医用情報管理システム１００は、ＲＩＳ（Radiology Information System：放射線科情報システム）１０と、画像管理装置２０と、医用情報表示装置としての撮影制御装置３０と、モダリティー４０と、から構成され、各装置は、ＬＡＮ（Local Area Network）やＷＡＮ（Wide Area Network）等の通信回線からなる通信ネットワークＮを介してデータ送受信可能に接続されている。医用情報管理システム１００を構成する各装置は、ＤＩＣＯＭ（Digital Image and Communications in Medicine）規格に準じており、各装置間の通信は、ＤＩＣＯＭに則って行われる。なお、各装置の台数は、特に限定されない。
【００２０】
ＲＩＳ１０は、放射線機器による検査や治療の予約、検査結果等の放射線科内の情報を管理するシステムである。
ＲＩＳ１０は、制御部１１、通信部１２、ＲＡＭ（Random Access Memory）１３、記憶部１４等を備えて構成され、各部はバス１５により接続されている。
【００２１】
制御部１１は、ＣＰＵ（Central Processing Unit）等により構成され、記憶部１４に記憶されているシステムプログラムや各種処理プログラムを読み出し、ＲＡＭ１３内に形成されたワークエリアに展開し、当該プログラムに従って各部を制御する。
【００２２】
通信部１２は、ネットワークインターフェース等により構成され、通信ネットワークＮを介して接続された外部機器との間でデータの送受信を行う。
【００２３】
ＲＡＭ１３は、制御部１１により実行制御される各種処理において、記憶部１４から読み出された各種プログラム、入力若しくは出力データ、及びパラメーター等を一時的に格納するワークエリアを形成する。
【００２４】
記憶部１４は、ハードディスクや不揮発性の半導体メモリー等により構成される。記憶部１４は、制御部１１で実行されるシステムプログラムや各種処理プログラム、これらのプログラムの実行に必要なデータを記憶する。
【００２５】
記憶部１４には、検査オーダーが記憶されている。検査オーダーには、撮影対象の患者に関する患者情報（患者ＩＤ、患者氏名、年齢、生年月日等）と、当該患者に対して行われる検査に関する検査情報と、が含まれる。検査情報には、撮影予定日が含まれる。検査情報には、撮影予定の医用画像毎に、撮影プロトコルが含まれる。すなわち、１検査（検査オーダー）には、撮影対象の患者と撮影プロトコルの組み合わせが一又は複数含まれる。撮影プロトコルには、撮影部位、撮影方向、Ｘ線照射条件等の撮影条件や、医用画像に対する画像処理のパラメーター等が含まれる。
【００２６】
また、記憶部１４には、各撮影プロトコルに対して、撮影済みであるか未撮影であるかを示す撮影状態情報が対応付けられて記憶されている。
【００２７】
画像管理装置２０は、モダリティー４０において生成された医用画像の画像データを記憶し、患者毎、撮影プロファイル毎に管理する。画像管理装置２０としては、例えば、ＰＡＣＳ（Picture Archiving and Communication System）等が挙げられる。画像管理装置２０は、撮影制御装置３０からの取得要求に応じて、医用画像や撮影プロトコル等を撮影制御装置３０に送信する。
画像管理装置２０は、制御部２１、通信部２２、ＲＡＭ２３、記憶部２４等を備えて構成され、各部はバス２５により接続されている。制御部２１、通信部２２、ＲＡＭ２３は、ＲＩＳ１０の制御部１１、通信部１２、ＲＡＭ１３と同様であり、説明の重複を避けるため、異なる部分を主として説明する。
【００２８】
記憶部２４は、ハードディスクや不揮発性の半導体メモリー等により構成される。記憶部２４は、制御部２１で実行されるシステムプログラムや各種処理プログラム、これらのプログラムの実行に必要なデータを記憶する。
【００２９】
記憶部２４には、複数の医用画像が記憶されており、各医用画像に対して、当該医用画像の撮影対象とされた患者に関する患者情報（患者ＩＤ、患者氏名、年齢、生年月日等）と、当該医用画像に対する撮影プロトコルと、撮影日時と、が対応付けられて記憶されている。すなわち、記憶部２４には、医用画像と、当該医用画像の撮影対象とされた患者及び当該医用画像に対する撮影プロトコルの組み合わせと、が対応付けられて記憶されている。
【００３０】
撮影制御装置３０は、撮影室等に設置され、モダリティー４０における撮影動作を制御するコンピューター装置であり、検査技師等によって使用される。撮影制御装置３０は、モダリティー４０において患者の撮影を行う際に、検査リストを表示したり、撮影された医用画像を表示したりする。
撮影制御装置３０は、制御部３１、操作部３２、表示部３３、通信部３４、ＲＡＭ３５、記憶部３６等を備えて構成され、各部はバス３７により接続されている。制御部３１、通信部３４、ＲＡＭ３５は、ＲＩＳ１０の制御部１１、通信部１２、ＲＡＭ１３と同様であり、説明の重複を避けるため、異なる部分を主として説明する。
【００３１】
操作部３２は、カーソルキー、文字入力キー、及び各種機能キー等を備えたキーボードと、マウス等のポインティングデバイスを備えて構成され、キーボードに対するキー操作やマウス操作により入力された指示信号を制御部３１に出力する。操作部３２は、操作者の操作入力を受け付ける。操作部３２は、表示部３３を覆うように形成されたタッチパネルを含む構成であってもよい。例えば、操作部３２は、検査リスト上に表示されている医用画像（過去画像）のいずれかを選択する際に用いられる。
【００３２】
表示部３３は、ＬＣＤ（Liquid Crystal Display）等のモニターにより構成され、制御部３１から入力される表示信号の指示に従って、各種画面等を表示する。
【００３３】
記憶部３６は、ハードディスクや不揮発性の半導体メモリー等により構成される。記憶部３６は、制御部３１で実行されるシステムプログラムや各種処理プログラム、これらのプログラムの実行に必要なデータを記憶する。
【００３４】
制御部３１は、ＲＩＳ１０から取得した検査オーダーに基づいて、撮影対象の患者及び撮影プロトコルの組み合わせを含む検査リストを表示部３３に表示させる。本実施の形態では、検査リストにおいてその存在が表示される撮影プロトコルには、未撮影のものも、撮影済みのものも含まれる。
【００３５】
制御部３１は、検査リストに含まれる患者及び未撮影の撮影プロトコルの組み合わせのそれぞれに対して、当該組み合わせと同一の患者及び撮影プロトコルの組み合わせに対応付けられた医用画像を画像管理装置２０の記憶部２４から取得する。すなわち、制御部３１は、取得部として機能する。具体的には、制御部３１は、検査リストに含まれる患者及び未撮影の撮影プロトコルの組み合わせ毎に、この組み合わせと同一の患者及び撮影プロトコルの組み合わせに対応付けられた医用画像の取得要求を、通信部３４を介して、画像管理装置２０に送信する。そして、画像管理装置２０に条件を満たす医用画像が保存されている場合には、制御部３１は、通信部３４を介して、画像管理装置２０から送信される医用画像を取得する。なお、条件を満たす医用画像が複数存在する場合には、医用画像に対応付けられている撮影日時に基づいて、最新のものを取得する。
【００３６】
制御部３１は、検査リスト上に、取得された医用画像（過去画像）を表示させる。すなわち、制御部３１は、表示制御部として機能する。具体的には、制御部３１は、検査リスト上の各患者の各撮影プロトコルに対応する領域に、当該患者及び撮影プロトコルの組み合わせと同一の患者及び撮影プロトコルの組み合わせに対応付けられた医用画像を表示させる。経過観察を目的として、同一の患者に対して同一の撮影プロトコルで時期を変えて複数回の撮影が行われる場合には、検査リスト上に前回の検査で撮影された医用画像を表示することができる。
【００３７】
制御部３１は、検査リスト上に表示されている未撮影の撮影プロトコルに対応する医用画像（過去画像）のうち、操作部３２から選択された医用画像を拡大して表示部３３に表示させる。この際、制御部３１は、医用画像にマーカーやアノテーション等の補足情報が付加されている場合には、医用画像に補足情報を併せて表示させる。
【００３８】
制御部３１は、選択された医用画像（過去画像）に対する撮影プロトコルの内容を表示部３３に表示させる。例えば、撮影プロトコルの内容は、文字、図、マーク等で表示される。
【００３９】
制御部３１は、検査リスト上に、未撮影であることを示すアイコン（以下、未撮影アイコンという。）を表示させる。具体的には、制御部３１は、検査リスト上の各患者の未撮影の撮影プロトコルに対応する領域に、未撮影アイコンを表示させる。未撮影アイコンは、未撮影の撮影プロトコルに対して共通のデザインであってもよいし、撮影部位毎に異なるデザインであってもよい。
【００４０】
モダリティー４０は、患者の診断対象部位を撮影し、医用画像の画像データを生成する画像生成装置である。モダリティー４０は、例えば、ＣＲ（Computed Radiography）、ＦＰＤ（Flat Panel Detector）等によって構成される。
【００４１】
次に、本実施の形態の動作について説明する。
図２は、撮影制御装置３０により実行される検査リスト表示処理を示すフローチャートである。この処理は、制御部３１と記憶部３６に記憶されているプログラムとの協働によるソフトウェア処理によって実現される。
【００４２】
まず、検査技師等の操作者が操作部３２からの操作により、検査リストの表示を指示すると、制御部３１は、ＲＩＳ１０から本日分の検査の患者及び撮影プロトコルを取得する（ステップＳ１）。具体的には、制御部３１は、通信部３４を介して、本日分の検査の患者及び撮影プロトコルの取得要求をＲＩＳ１０に送信する。
ＲＩＳ１０では、制御部１１が、撮影制御装置３０から送信された取得要求に応じて、記憶部１４に記憶されている検査オーダーのうち、撮影予定日が本日に該当するものを抽出し、抽出された検査オーダーと、当該検査オーダーに含まれる各撮影プロトコルに対応する撮影状態情報と、を通信部１２を介して、撮影制御装置３０に送信する。
撮影制御装置３０の制御部３１は、ＲＩＳ１０から取得した本日分の検査オーダー（患者及び撮影プロトコルの組み合わせ）と、当該検査オーダーに含まれる各撮影プロトコルに対応する撮影状態情報と、をＲＡＭ３５に格納する。
【００４３】
次に、制御部３１は、本日分の検査の患者及び撮影プロトコルの組み合わせの中から、或る撮影プロトコル（患者及び撮影プロトコルの組み合わせ）を処理対象に設定する（ステップＳ２）。
次に、制御部３１は、処理対象の撮影プロトコルに対応する撮影状態情報に基づいて、当該撮影プロトコルに係る撮影が撮影済みであるか、未撮影であるかを判断する（ステップＳ３）。
【００４４】
処理対象の撮影プロトコルに係る撮影が撮影済みでない場合には（ステップＳ３；ＮＯ）、制御部３１は、この未撮影の撮影プロトコルについて、撮影対象の患者及び撮影プロトコルの組み合わせと同一の患者及び撮影プロトコルの組み合わせに対応付けられた過去画像の取得要求を、通信部３４を介して、画像管理装置２０に送信する（ステップＳ４）。
【００４５】
画像管理装置２０では、制御部２１が、撮影制御装置３０から送信された取得要求に応じて、条件を満たす過去画像が記憶部２４に記憶されているか否かを判断する。条件を満たす過去画像が記憶部２４に記憶されている場合には、制御部２１は、未撮影の撮影プロトコルと同一の患者及び撮影プロトコルに対応付けられた過去画像を記憶部２４から読み出し、読み出された過去画像を、通信部２２を介して、撮影制御装置３０に送信する。この時、制御部２１は、過去画像とともに、過去画像に対する撮影プロトコル、過去画像の撮影日時を、通信部２２を介して、撮影制御装置３０に送信する。
【００４６】
撮影制御装置３０において、制御部３１が、通信部３４を介して、画像管理装置２０から過去画像を取得した場合（ステップＳ５；ＹＥＳ）、すなわち、画像管理装置２０に未撮影の撮影プロトコルに対応する過去画像が存在する場合には、制御部３１は、画像管理装置２０から取得した過去画像、過去画像に対する撮影プロトコル、過去画像の撮影日時を対応付けてＲＡＭ３５に格納する。そして、制御部３１は、検査リスト上の処理対象の撮影プロトコルに対応する領域に、未撮影の撮影プロトコルに対応する過去画像と未撮影アイコンを表示させる（ステップＳ６）。
【００４７】
ステップＳ５において、制御部３１が、通信部３４を介して、画像管理装置２０から過去画像を取得しない場合（ステップＳ５；ＮＯ）、すなわち、画像管理装置２０に未撮影の撮影プロトコルに対応する過去画像が存在しない場合には、制御部３１は、検査リスト上の処理対象の撮影プロトコルに対応する領域に、未撮影アイコンを表示させる（ステップＳ７）。
【００４８】
ステップＳ３において、処理対象の撮影プロトコルに係る撮影が撮影済みである場合には（ステップＳ３；ＹＥＳ）、制御部３１は、この撮影済みの撮影プロトコルについて、撮影対象の患者及び撮影プロトコルの組み合わせに対応付けられた医用画像（現在画像）の取得要求を、通信部３４を介して、画像管理装置２０に送信する（ステップＳ８）。
画像管理装置２０では、制御部２１が、撮影制御装置３０から送信された取得要求に応じて、条件を満たす医用画像を記憶部２４から読み出し、読み出された医用画像を、通信部２２を介して、撮影制御装置３０に送信する。
【００４９】
撮影制御装置３０の制御部３１は、通信部３４を介して、画像管理装置２０から処理対象の撮影プロトコルに従って撮影された現在画像を取得し（ステップＳ９）、画像管理装置２０から取得した現在画像をＲＡＭ３５に格納する。制御部３１は、検査リスト上の処理対象の撮影プロトコルに対応する領域に、撮影済みの現在画像を表示させる（ステップＳ１０）。
【００５０】
ステップＳ６、ステップＳ７、又は、ステップＳ１０の後、制御部３１は、全ての撮影プロトコルについて、処理が終了したか否かを判断する（ステップＳ１１）。
処理が終了していない撮影プロトコルがある場合には（ステップＳ１１；ＮＯ）、ステップＳ２に戻り、処理が繰り返される。
【００５１】
ステップＳ１１において、全ての撮影プロトコルについて、処理が終了した場合には（ステップＳ１１；ＹＥＳ）、検査リスト表示処理が終了する。
【００５２】
図３に、撮影制御装置３０の表示部３３に表示される検査リスト画面３３１の例を示す。検査リスト画面３３１には、検査番号領域５１、患者情報領域５２、プロトコル関連情報領域５３が含まれる。
検査番号領域５１には、検査オーダーに対して付与された、検査の識別番号が表示される。
患者情報領域５２には、検査の対象となる患者の患者ＩＤ、年齢、生年月日、性別、患者氏名が表示される。
【００５３】
プロトコル関連情報領域５３には、検査オーダーに含まれる一又は複数の撮影プロトコルに関する情報が表示される。撮影プロトコルは、撮影される医用画像の数だけ存在する。プロトコル関連情報領域５３には、プロトコル数（検査オーダーに含まれる撮影プロトコルの数）、未撮影画像数（検査オーダーに含まれる撮影プロトコルのうち、未撮影の数）が表示される。また、プロトコル関連情報領域５３には、検査オーダーに含まれる撮影プロトコルの数分の撮影プロトコルに対応する領域が含まれる。
【００５４】
撮影プロトコルに対応する領域には、当該撮影プロトコルに係る医用画像が撮影済みの場合、撮影された医用画像（現在画像）が表示され、当該撮影プロトコルに係る医用画像が未撮影の場合、未撮影アイコンが表示される。
さらに、撮影プロトコルに対応する領域には、当該撮影プロトコルに係る医用画像が未撮影であって、撮影対象の患者及び当該撮影プロトコルの組み合わせと同一の患者及び撮影プロトコルの組み合わせに対応付けられた医用画像（過去画像）が存在する場合、過去画像が表示される。
【００５５】
図３において、検査番号「００１」の検査は、患者氏名「小西一郎」という患者を撮影対象とするものであり、当該検査には、撮影プロトコルが「４」含まれ、そのうち「３」は未撮影である。１番目の撮影プロトコルに対応する領域６１には、未撮影アイコン６１Ａと過去画像６１Ｂが表示されている。２番目の撮影プロトコルに対応する領域６２には、未撮影アイコン６２Ａと過去画像６２Ｂが表示されている。３番目の撮影プロトコルに対応する領域６３には、未撮影アイコン６３Ａのみが表示されており、当該撮影プロトコルに対応する過去画像は存在しない。４番目の撮影プロトコルに対応する領域６４には、現在画像６４Ｃが表示されており、既に撮影済みであることがわかる。
【００５６】
また、検査番号「００２」の検査は、患者氏名「大西みどり」という患者を撮影対象とするものであり、当該検査には、撮影プロトコルが「３」含まれ、その全てが未撮影である。各撮影プロトコルに対応する領域６５，６６，６７には、それぞれ、未撮影アイコン６５Ａ，６６Ａ，６７Ａのみが表示されており、各撮影プロトコルに対応する過去画像は存在しない。
【００５７】
また、検査番号「００３」の検査は、患者氏名「田中太郎」という患者を撮影対象とするものであり、当該検査には、撮影プロトコルが「３」含まれ、その全てが未撮影である。１，２番目の撮影プロトコルに対応する領域６８，６９には、それぞれ、未撮影アイコン６８Ａ，６９Ａのみが表示されており、各撮影プロトコルに対応する過去画像は存在しない。３番目の撮影プロトコルに対応する領域７０には、未撮影アイコン７０Ａと過去画像７０Ｂが表示されている。
【００５８】
また、検査番号「００４」の検査は、患者氏名「鈴木花子」という患者を撮影対象とするものであり、当該検査には、撮影プロトコルが「３」含まれ、その全てが撮影済みである。各撮影プロトコルに対応する領域７１，７２，７３には、それぞれ、現在画像７１Ｃ，７２Ｃ，７３Ｃが表示されており、既に撮影済みであることがわかる。
【００５９】
操作部３２からの操作により、検査リスト画面３３１の過去画像７０Ｂをクリックすると、図４に示す検査リスト画面３３２に切り替えられる。検査リスト画面３３２には、過去画像拡大領域８１が含まれる。過去画像拡大領域８１には、過去画像７０Ｂが拡大された過去画像８１Ｂが表示されるとともに、撮影部位８２、撮影方向８３、撮影日８４が表示される。
制御部３１は、選択された過去画像を拡大して過去画像拡大領域８１に表示させるとともに、過去画像に対する撮影プロトコルに基づいて、撮影部位８２及び撮影方向８３を表示させ、過去画像の撮影日時に基づいて、撮影日８４を表示させる。
【００６０】
以上説明したように、本実施の形態によれば、検査リスト上に、当該検査リストに含まれる患者及び撮影プロトコルの組み合わせと同一の患者及び撮影プロトコルの組み合わせに対応付けられた過去画像を表示するので、検査技師等の操作者は、画面の遷移や撮影プロトコルの選択等の操作をすることなく、検査リスト上の過去画像を見るだけで、未撮影の撮影プロトコルを認識することができる。このように、これから撮影する撮影内容及び過去画像を事前に確認することで、撮影する患者や検査の順番の調整、撮影順番の決定、撮影装置の準備を行うことができる。したがって、検査リストにおいて、撮影プロトコルを確認する際の操作工程数の削減及び作業の効率化を図ることができる。
【００６１】
また、検査リスト上の過去画像を選択することで、この過去画像が拡大されるので、過去画像がより見やすくなり、撮影プロトコルを認識しやすくなる。また、過去画像にマーカーやアノテーション等の補足情報が付加されている場合には、画像を拡大することで、補足情報の確認が容易になる。
さらに、撮影部位、撮影方向等の撮影プロトコルの内容を過去画像とともに表示することで、撮影プロトコルの詳細を認識しやすくなる。
【００６２】
また、未撮影の撮影プロトコルについては、検査リスト上の各患者の各撮影プロトコルに対応する領域に、未撮影アイコンを表示するので、検査リストに未撮影の撮影プロトコルと撮影済みの撮影プロトコルの両方が含まれていても、両者の識別が容易になる。
【００６３】
なお、上記実施の形態における記述は、本発明に係る医用情報表示装置の例であり、これに限定されるものではない。装置を構成する各部の細部構成及び細部動作に関しても本発明の趣旨を逸脱することのない範囲で適宜変更可能である。
【００６４】
例えば、上記実施の形態では、検査リスト画面に、未撮影の撮影プロトコルに関する情報と、撮影済みの撮影プロトコルに関する情報の両方が含まれる場合について説明したが、検査リスト画面に、未撮影の撮影プロトコルに関する情報のみが含まれる表示方法を採用することもできる。
【００６５】
また、上記実施の形態では、医用画像（過去画像）が画像管理装置２０に保存されている場合について説明したが、撮影制御装置３０の内部に保存されていることとしてもよい。
【００６６】
以上の説明では、各処理を実行するためのプログラムを格納したコンピューター読み取り可能な媒体としてハードディスクや不揮発性メモリーを使用した例を開示したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００６７】
１０  ＲＩＳ
１１  制御部
１２  通信部
１４  記憶部
２０  画像管理装置
２１  制御部
２２  通信部
２４  記憶部
３０  撮影制御装置
３１  制御部
３２  操作部
３３  表示部
３４  通信部
３６  記憶部
４０  モダリティー
５１  検査番号領域
５２  患者情報領域
５３  プロトコル関連情報領域
１００  医用情報管理システム
３３１  検査リスト画面
３３２  検査リスト画面
Ｎ  通信ネットワーク
【図１】
2018102453.tif 000003
【図２】
2018102453.tif 000004
【図３】
2018102453.tif 000005
【図４】
2018102453.tif 000006